(57)【要約】【課題】ウェアラブル機器の表示画面の設定を容易にすることができる表示設定方法、プログラム、および、システムの提供。【解決手段】情報処理端末１０２は、ウェアラブル機器１０１から取得した表示設定情報５１１に基づいて、タッチパネル４０５に表示設定画面を表示する。次に、情報処理端末１０２は、タッチパネル４０５に表示した表示設定画面に対するユーザーによる変更操作に基づいて、表示設定変更情報５１３を生成する。そして、情報処理端末１０２は、表示設定変更情報５１３を情報処理端末１０２からウェアラブル機器１０１へ送信する。【選択図】図５
2019016251.tif 000002
【特許請求の範囲】
【請求項１】
センサーで測定した測定データに基づいて１または複数の表示画面を表示するウェアラブル機器と通信可能な情報処理端末を用いて前記１または複数の表示画面を設定する表示設定方法であって、
前記情報処理端末は、
前記１または複数の表示画面に関する表示設定情報を前記ウェアラブル機器から取得し、
前記表示設定情報に基づいて、前記１または複数の表示画面の内容を変更するための表示設定画面を表示し、
前記表示設定画面に対するユーザーによる変更操作に基づいて、表示設定変更情報を生成し、
前記表示設定変更情報を前記情報処理端末から前記ウェアラブル機器へ送信する、
ことを特徴とする表示設定方法。
【請求項２】
請求項１において、
前記表示設定情報は、前記１または複数の表示画面の内容および表示態様の少なくとも一方に関する情報であることを特徴とする表示設定方法。
【請求項３】
請求項１において、
前記表示設定情報は、前記ウェアラブル機器が有する操作部に対する前記ユーザーの操作に応じて切り替わる前記複数の表示画面の順番、内容、および表示態様のうち少なくともいずれか一つに関する情報であることを特徴とする表示設定方法。
【請求項４】
請求項１から３のいずれかにおいて、
前記表示設定情報は、前記ウェアラブル機器が有する操作部に対する前記ユーザーの操作に応じて切り替わる前記複数の表示画面の順番を含み、
前記表示設定画面には、前記ユーザーによる操作に応じて切り替わる前記複数の表示画面が、前記ユーザーによる操作の順序と関連付けて配置されていることを特徴とする表示設定方法。
【請求項５】
請求項４において、
前記ウェアラブル機器が有する操作部はボタンまたはタッチセンサーの少なくとも一方を含み、
前記表示設定画面は、前記操作部の操作回数と関連付けて前記複数の表示画面が配置されていることを特徴とする表示設定方法。
【請求項６】
請求項１から５のいずれかにおいて、
前記複数の表示画面の順番、内容、および表示態様の少なくともいずれかに関する変更操作を受け付けると、前記表示設定変更情報を生成することを特徴とする表示設定方法。
【請求項７】
請求項１から６のいずれかにおいて、
前記ウェアラブル機器は、ユーザーの状態を表す複数の項目を計測し、
前記１または複数の表示画面は、第１表示領域および第２表示領域を含み、
前記第１表示領域には、少なくとも前記複数の項目から選択された一つの項目が表示され、
前記第２表示領域には、少なくとも前記複数の項目から選択された、前記第１表示領域に表示される項目とは異なる一つの項目が表示され、
前記表示設定情報は、前記第１表示領域の表示される項目を識別する第１識別データと前記第２表示領域の表示される項目を識別する第２識別データとを含み、
前記第１識別データに基づいて前記第１表示領域に表示すべき画像を前記情報処理端末に表示させ、
前記第２識別データに基づいて前記第２表示領域に表示すべき画像を前記情報処理端末に表示させ、
前記情報処理端末が有する操作部の操作に応じて前記第１表示領域に表示可能な項目の複数の項目候補に基づく画像を前記情報処理端末に表示させ、
前記情報処理端末の前記操作部の操作に応じて複数の項目候補の中から選択された項目を識別するように前記第１識別データを更新し、
更新された第１識別データを含む前記表示設定変更情報を前記ウェアラブル機器に送信する、
ことを特徴とする表示設定方法。
【請求項８】
請求項７において、
前記複数の項目候補には、前記ユーザーの活動に関する項目または前記ユーザーの活動を解析して得られた指標に関する項目の少なくとも一方が含まれることを特徴とする表示設定方法。
【請求項９】
請求項７または８において、
前記第１表示領域には、時刻を表示可能であり、
前記複数の項目候補には、時刻が含まれることを特徴とする表示設定方法。
【請求項１０】
請求項７または８において、
前記第１表示領域には、ラップを表示可能であり、
前記ラップは、単位時間当たりの前記ウェアラブル機器が移動した距離、単位距離当たりの前記ウェアラブル機器が移動にかかった時間、または予め定められた複数の走行区間の番号であり、
前記複数の項目候補には、前記ラップが含まれることを特徴とする表示設定方法。
【請求項１１】
請求項１から１０のいずれかにおいて、
前記表示設定情報は、前記１または複数の表示画面の内容に関する情報であり、
前記ウェアラブル機器を模した模擬画像と前記表示設定情報に含まれる内容を示す画像とを表示することを特徴とする表示設定方法。
【請求項１２】
請求項１１において、
前記表示設定情報は、前記１または複数の表示画面の内容および表示態様に関する情報であり、
前記模擬画像の表示態様を前記表示設定情報に含まれる表示態様を用いて設定することを特徴とする表示設定方法。
【請求項１３】
センサーで測定した測定データに基づいて１または複数の表示画面を表示するウェアラブル機器と通信可能な情報処理端末を用いて前記１または複数の表示画面を設定するプログラムであって、
前記情報処理端末を、
前記１または複数の表示画面に関する表示設定情報を前記ウェアラブル機器から取得する取得部、
前記表示設定情報に基づいて、前記１または複数の表示画面の内容を変更するための表示設定画面を表示する表示部、
前記表示設定画面に対するユーザーによる変更操作に基づいて、表示設定変更情報を生成する生成部、および、
前記表示設定変更情報を前記情報処理端末から前記ウェアラブル機器へ送信する送信部、
として機能させることを特徴とするプログラム。
【請求項１４】
センサーで測定した測定データに基づいて１または複数の表示画面を表示するウェアラブル機器と、前記ウェアラブル機器と通信可能な情報処理端末とを備えるシステムであって、
前記情報処理端末は、
前記１または複数の表示画面に関する表示設定情報を前記ウェアラブル機器から取得し、
前記表示設定情報に基づいて、前記１または複数の表示画面の内容を変更するための表示設定画面を表示し、
前記表示設定画面に対するユーザーによる変更操作に基づいて、表示設定変更情報を生成し、
前記表示設定変更情報を前記情報処理端末から前記ウェアラブル機器へ送信し、
前記ウェアラブル機器は、前記表示設定変更情報を用いて前記１または複数の表示画面を表示する
ことを特徴とするシステム。
【発明の詳細な説明】
【技術分野】
【０００１】
本発明は、表示設定方法、プログラム、および、システムに関する。
【背景技術】
【０００２】
近年、ランナー向けＧＰＳ（global positioning system）機器など、さまざまなセンサーを有するウェアラブル機器を装着した状態でのワークアウトが行われることがある。また、ウェアラブル機器の画面を、ユーザーが変更することが可能な場合がある。例えば特許文献１には、腕時計が備える時計ケースの上面部に設けられた電子表示部に、電子表示によるケース枠／文字盤表示と電子表示による時刻表示とを行うことにより、時計ケースの文字盤部分に所望のデザインを変更するものが開示されている。
【先行技術文献】
【特許文献】
【０００３】
【特許文献１】特開２００６−２８４３６５号公報
【発明の概要】
【発明が解決しようとする課題】
【０００４】
しかしながら、ウェアラブル機器の表示画面の設定を、ウェアラブル機器上で行おうとすると、設定に手間が掛かる場合がある。例えば、特許文献１のように、ウェアラブル機器が有する操作部が複数のボタンだけである場合、複数のボタンだけを使って複雑な設定をするには長時間を要してしまう。具体的には、ウェアラブル機器が多くの設定項目を有すると、複数のボタンのいずれかに対する多くの操作または複数のボタンを組み合わせた複雑な操作を行うことになる。従って、ユーザーによるウェアラブル機器の設定に手間が掛かる。
【０００５】
本発明は、ウェアラブル機器の表示画面の設定を容易にすることを解決課題の一つとする。
【課題を解決するための手段】
【０００６】
本発明の一態様は、センサーで測定した測定データに基づいて１または複数の表示画面を表示するウェアラブル機器と通信可能な情報処理端末を用いて前記１または複数の表示画面を設定する表示設定方法であって、前記情報処理端末は、前記１または複数の表示画面に関する表示設定情報を前記ウェアラブル機器から取得し、前記表示設定情報に基づいて、前記１または複数の表示画面の内容を変更するための表示設定画面を表示し、前記表示設定画面に対するユーザーによる変更操作に基づいて、表示設定変更情報を生成し、前記表示設定変更情報を前記情報処理端末から前記ウェアラブル機器へ送信する、表示設定方法に関係する。
【０００７】
本発明の一態様では、表示設定情報をウェアラブル機器から取得するため、ユーザーの変更が加わった表示画面が反映された表示設定画面を、情報処理端末の表示部に表示させることが可能になる。
【０００８】
また本発明の一態様では、前記表示設定情報は、前記１または複数の表示画面の内容および表示態様の少なくとも一方に関する情報であってもよい。
【０００９】
この態様によれば、ウェアラブル機器の表示画面の内容、および表示態様について、情報処理端末上で表示することが可能になる。
【００１０】
また本発明の一態様では、前記表示設定情報は、前記ウェアラブル機器が有する操作部に対する前記ユーザーの操作に応じて切り替わる前記複数の表示画面の順番、内容、および表示態様の少なくともいずれか一つに関する情報であってもよい。
【００１１】
この態様によれば、ウェアラブル機器の複数の表示画面の順番、内容、および表示態様について、情報処理端末上で表示することが可能になる。
【００１２】
また本発明の一態様では、前記表示設定情報は、前記ウェアラブル機器が有する操作部に対する前記ユーザーの操作に応じて切り替わる前記複数の表示画面の順番を含み、前記表示設定画面には、前記ユーザーによる操作に応じて切り替わる前記複数の表示画面が、前記ユーザーによる操作の順序と関連付けて配置されていてもよい。
【００１３】
この態様によれば、複数の表示画面が、ユーザーによる操作の順序と関連付けて配置されるため、ウェアラブル機器の表示部に表示される複数の表示画面を、ユーザーに分かり易く提示することが可能になる。より具体的には、ウェアラブル機器では、操作を行わなければ次の表示画面が表示されないため、ユーザーは、同時に複数の表示画面を確認することはできない。一方で、情報処理端末は、ユーザーによる操作の順序と関連付けた配置で複数の表示画面を表示するため、ユーザーは、複数の表示画面と、ユーザーによる操作の順序とを一画面内で確認することができ、ユーザーに分かり易く提示することが可能になる。
【００１４】
また本発明の一態様では、前記ウェアラブル機器が有する操作部はボタンまたはタッチセンサーの少なくとも一方を含み、前記表示設定画面は、前記操作部の操作回数と関連付けて前記複数の表示画面が配置されてもよい。
【００１５】
この態様によれば、ウェアラブル機器が操作部としてボタンまたはタッチセンサーの少なくとも一方を含む場合であっても、ボタンまたはタッチセンサーの操作回数に応じて切り換わる複数の表示画面を、ユーザーに分かり易く提示することが可能になる。例えば、ウェアラブル機器がタッチセンサーを含む場合、情報処理端末は、タッチセンサーの操作回数と関連付けた配置で複数の表示画面を表示する。これにより、ユーザーは、複数の表示画面と、ユーザーによるタッチセンサーの操作回数とを一画面内で確認することができ、ユーザーに分かり易く提示することが可能になる。
【００１６】
また本発明の一態様では、前記複数の表示画面の順番、内容、および表示態様の少なくともいずれかに関する変更操作を受け付けると、前記表示設定変更情報を生成してもよい。
【００１７】
この態様によれば、変更操作を受け付けると表示設定変更情報を生成するため、ユーザーの操作によって表示設定変更情報の送信指示を受け付けた時に表示設定変更情報を生成する場合と比較して、より早く表示設定変更情報をウェアラブル機器に送信することが可能になる。
【００１８】
また本発明の一態様では、前記ウェアラブル機器は、ユーザーの生体の状態を表す複数の項目を計測し、前記表示画面は、第１表示領域および第２表示領域を含み、前記第１表示領域には、少なくとも前記複数の項目から選択された一つの項目が表示され、前記第２表示領域には、少なくとも前記複数の項目から選択された、前記第１表示領域に表示される項目とは異なる一つの項目が表示され、前記表示設定情報は、前記第１表示領域の表示される項目を識別する第１識別データと前記第２表示領域の表示される項目を識別する第２識別データとを含み、前記第１識別データに基づいて前記第１表示領域に表示すべき画像を前記情報処理端末に表示させ、前記第２識別データに基づいて前記第２表示領域に表示すべき画像を前記情報処理端末に表示させ、前記情報処理端末が有する操作部の操作に応じて前記第１表示領域に表示可能な項目の複数の項目候補に基づく画像を前記情報処理端末に表示させ、前記情報処理端末の前記操作部の操作に応じて複数の項目候補の中から選択された項目を識別するように前記第１識別データを更新し、更新された第１識別データを含む前記表示設定変更情報を前記ウェアラブル機器に送信してもよい。
【００１９】
この態様によれば、ウェアラブル機器は、ユーザーの状態を表す複数の項目のうち、ユーザーが所望する項目を第１表示領域に表示することが可能になる。
【００２０】
また本発明の一態様では、前記複数の項目候補には、前記ユーザーの活動に関する項目または前記ユーザーの活動を解析して得られた指標に関する項目の少なくとも一方が含まれてもよい。
【００２１】
この態様によれば、ウェアラブル機器は、ユーザーの活動を解析して得られた指標を表示領域に表示することが可能になる。
【００２２】
また本発明の一態様では、第１表示領域には、時刻を表示可能であり、前記複数の項目候補には、時刻が含まれてもよい。
【００２３】
この態様によれば、ウェアラブル機器は、時刻を第１表示領域に表示することが可能になる。
【００２４】
また本発明の一態様では、前記第１表示領域には、ラップを表示可能であり、前記ラップは、単位時間当たりの前記ウェアラブル機器が移動した距離、単位距離当たりの前記ウェアラブル機器が移動にかかった時間、または予め定められた複数の走行区間の番号であり、前記複数の項目候補には、前記ラップが含まれてもよい。
【００２５】
この態様によれば、ウェアラブル機器は、ラップを第１表示領域に表示することが可能になる。
【００２６】
また本発明の一態様では、前記表示設定情報は、前記１または複数の表示画面の内容に関する情報であり、前記ウェアラブル機器を模した模擬画像と前記表示設定情報に含まれる内容を示す画像とを表示してもよい。
【００２７】
この態様によれば、情報処理端末は、ウェアラブル機器を模した模擬画像を表示するため、表示設定情報を変更した際のウェアラブル機器の状態により近い画像を表示することになる。従って、ユーザーは、情報処理端末の表示部に表示された画像を閲覧することにより、表示設定情報を変更した際のウェアラブル機器の状態を、想像し易くすることが可能になる。
【００２８】
また本発明の一態様では、前記表示設定情報は、前記１または複数の表示画面の内容および表示態様に関する情報であり、前記模擬画像の表示態様を前記表示設定情報に含まれる表示態様を用いて設定してもよい。
【００２９】
この態様によれば、情報処理端末は、表示設定情報に含まれる表示態様を用いて表示態様を設定した模擬画像を表示するため、表示設定情報を変更した際のウェアラブル機器の状態により近い画像を表示することになる。従って、ユーザーは、情報処理端末の表示部に表示された画像を閲覧することにより、表示様態を模した画像を表示しない場合に比べて、表示設定情報を変更した際のウェアラブル機器の状態をより想像し易くすることが可能になる。
【図面の簡単な説明】
【００３０】
【図１】本実施形態に係るシステム１００を示す図。
【図２】ウェアラブル機器１０１における表示画面の切り替えを示す図。
【図３】ウェアラブル機器１０１のハードウェア構成を示す図。
【図４】情報処理端末１０２のハードウェア構成を示す図。
【図５】情報処理端末１０２の機能構成例を示す図。
【図６】マイデバイス画面表示処理のフローチャートを示す図。
【図７】活動量表示設定処理のフローチャートを示す図。
【図８】ワークアウト表示設定処理のフローチャートを示す図。
【図９】測定表示設定処理のフローチャートを示す図。
【図１０】マイデバイス画面を示す図。
【図１１】活動量表示設定画面を示す図。
【図１２】ワークアウト表示設定画面を示す図。
【図１３】測定表示設定画面を示す図。
【図１４】表示内容変更メニューの選択項目変更例を示す図（その１）。
【図１５】表示内容変更メニューの選択項目変更例を示す図（その２）。
【図１６】表示領域の変更を示す図（その１）。
【図１７】表示領域の変更を示す図（その２）。
【図１８】フェースを切り替えた際の表示領域の変更を示す図。
【図１９】ワークアウトに応じた項目候補を示す図。
【図２０】測定表示設定画面の第１の変形例を示す図。
【図２１】測定表示設定画面の第２の変形例を示す図。
【発明を実施するための形態】
【００３１】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００３２】
Ａ．実施形態
図１は、本実施形態に係るシステム１００を示す図である。図１に示したように、システム１００は、ウェアラブル機器１０１と、ウェアラブル機器１０１と通信可能な情報処理端末１０２とを含む。システム１００では、ウェアラブル機器１０１の１または複数の表示画面を、情報処理端末１０２を用いて設定することが可能である。
【００３３】
ウェアラブル機器１０１は、ユーザーＵの身に装着する機器である。例えば、ウェアラブル機器１０１は、ユーザーＵの手首に装着するリスト機器である。また、図１で示すように、ウェアラブル機器１０１は、腕時計と同様な外観を有する。ウェアラブル機器１０１は、第１バンド１０３と、第２バンド１０４と、ケース部１０５と、第１操作ボタン１１１と、第２操作ボタン１１２と、第３操作ボタン１１３と、第４操作ボタン１１４と、第５操作ボタン１１５と、表示部１２１とを有する。以下、第１操作ボタン１１１〜第５操作ボタン１１５を総称して、「操作ボタン１１１〜１１５」と称することがある。
【００３４】
第１バンド１０３および第２バンド１０４は、ウェアラブル機器１０１をユーザーＵの手首に装着するためのバンドである。ケース部１０５は、ウェアラブル機器１０１の筐体である。
操作ボタン１１１〜１１５は、ウェアラブル機器１０１の側面に設けられる。そして、第１操作ボタン１１１は、おおよそ２時の方向の位置しており、第２操作ボタン１１２は、おおよそ３時の方向に位置しており、第３操作ボタン１１３は、おおよそ４時の方向に位置する。また、第４操作ボタン１１４は、おおよそ９時の方向の位置しており、第５操作ボタン１１５は、おおよそ８時の方向に位置する。表示部１２１は、ウェアラブル機器１０１の正面の中央に設けられる。
【００３５】
また、表示部１２１の表示面側を表面とした場合の裏面から表面へと向かう方向、つまり表示面の法線方向をＺ軸正方向とする。そして、Ｚ軸に直交する２軸をＸＹ軸とし、表示部１２１の中心から第２操作ボタン１１２への方向をＸ軸正方向とする。
【００３６】
また、ウェアラブル機器１０１は、情報処理端末１０２と通信可能に構成される。例えば、ウェアラブル機器１０１は、情報処理端末１０２と近距離無線通信により無線接続されてもよい。ここでの近距離無線通信とは、Bluetooth（登録商標）、ＮＦＣ（Near field radio communication）、ＡＮＴ＋等、種々の形式を適用可能である。あるいは、ウェアラブル機器１０１は、ＵＳＢ（Universal Serial Bus）ケーブルなどの接続ケーブルまたはクレードル等を介して、情報処理端末１０２と有線接続されてもよい。
【００３７】
また、ウェアラブル機器１０１は、１以上のワークアウトに関する値を測定することが可能である。ここで、ワークアウトとは、運動全般のことである。ワークアウトは、例えば、ラン、ウォーク、バイク、およびスイムなどである。また、ランは、さらに細分化して取り扱う。例えば、走る環境に応じて、通常のランニング、トレイルラン、およびトレッドミルなどを異なるワークアウトとして扱ってもよい。あるいは、通常のランニング、トレイルラン、およびトレッドミルを１つのワークアウトとして扱ってもよい。また、ワークアウトは、テニス、サッカー、またはスキー等、各種スポーツを１つの種別として扱う態様と、同一の種別として扱う態様とがある。また、トライアスロンではラン、バイク、およびスイムの３競技が行われるため、ワークアウトは、ラン、バイク、およびスイムのそれぞれを３つのワークアウトとして扱う態様と、全体として１つのワークアウトとして扱う態様とがある。
【００３８】
情報処理端末１０２は、スマートフォン、タブレット端末等といった端末である。情報処理端末１０２は、アプリケーションソフトウェアを実行することにより、ウェアラブル機器１０１に表示する表示画面を設定することができる。
【００３９】
図１に示すウェアラブル機器１０１の表示部１２１は、表示画面の一例として、活動量を表示する活動量表示画面１３１を表示する。ウェアラブル機器１０１は、ユーザーＵによる第１操作ボタン１１１の押下操作を検出すると、次の活動量表示画面を表示する。このように、ウェアラブル機器１０１は、操作ボタン１１１〜１１５のいずれかの押下操作によって、複数の表示画面を切り替えることが可能である。一方、図１に示す情報処理端末１０２は、活動量表示設定画面１５０（表示設定画面の一例）を表示する。
活動量表示設定画面１５０は、活動量表示模擬画面１４１と活動量表示模擬画面１４２とを含む。活動量表示模擬画面１４１は、ウェアラブル機器１０１に現在表示される活動量表示画面１３１と同じ画像を有する。一方、活動量表示模擬画面１４２は、ウェアラブル機器１０１において活動量表示画面１３１を表示している状態で、第１操作ボタン１１１が操作された後に表示される次の活動量表示画面と同じ画像を有する。従って、ユーザーＵは、第１操作ボタン１１１を押下しなくても、現在の活動量表示画面１３１の内容と、第１操作ボタン１１１を押下した後の活動量表示画面の内容とを、情報処理端末１０２を用いて確認することができる。
【００４０】
ここで、活動量表示模擬画面１４１は、模擬画像１５２に活動量表示画面１３１を重ねた画像であり、活動量表示模擬画面１４２は、模擬画像１５２に活動量表示画面１３２を重ねた画像である。模擬画像１５２は、ウェアラブル機器１０１を模した画像である。このように、情報処理端末１０２は、ウェアラブル機器１０１が表示する活動量表示画面１３１、および１３２を含めた画像を表示するため、ウェアラブル機器１０１と同様なＵＩ（User  Interface）をユーザーＵに提供することになる。ここで、模擬画像に表示画面を重ねた画像とは、ウェアラブル機器１０１を模した模擬画像の表示部１２１に対応する位置に、表示画面を配置した画像としてもよい。あるいは、模擬画像に表示画面を重ねた画像は、模擬画像を背景として表示画面を表示した画像ということもできる。
【００４１】
情報処理端末１０２は、活動量表示模擬画面１４１、１４２の順序を入れ替えたり、活動量表示模擬画面１４１、１４２の間に新たな活動量表示模擬画面を追加したり、活動量表示模擬画面１４１、１４２のいずれかを削除したりするといった、ユーザーＵによる変更操作を受け付ける。そして、情報処理端末１０２は、前述の変更操作を反映した表示設定を、ウェアラブル機器１０１に反映させる。以上の処理によって、情報処理端末１０２は、ウェアラブル機器１０１の表示画面を設定することが可能である。
情報処理端末１０２は、ウェアラブル機器１０１よりも自由度の高い操作を行うことができるため、ユーザーＵは、ウェアラブル機器１０１の表示画面の設定を容易に行うことができる。また、情報処理端末１０２は、ウェアラブル機器１０１の表示部１２１が表示する表示画面を表示するため、ウェアラブル機器１０１のＵＩと同様なＵＩをユーザーＵに提供することができる。さらに、情報処理端末１０２は、模擬画像１５２を用いることによりウェアラブル機器１０１の表示画面の設定後の状態を想像し易くなるため、ウェアラブル機器１０１の使用シーンをイメージしたウェアラブル機器１０１の表示画面の設定を実現することが可能になる。
【００４２】
図２に、ウェアラブル機器１０１における表示画面の切り替えを示す。図２の左上に示すウェアラブル機器１０１は、時計画面２００を表示する。時計画面２００は、時刻を表示する。表示部１２１が時計画面２００を表示する状態において、ユーザーＵによって第１操作ボタン１１１が押下されると、ウェアラブル機器１０１は、図２の右上に示すように、活動量表示画面１３１を表示する。
【００４３】
活動量表示画面１３１を表示する状態において、ユーザーＵによって第１操作ボタン１１１が押下されると、ウェアラブル機器１０１は、図２の右下に示すように、活動量表示画面１３２を表示する。活動量表示画面１３２を表示する状態において、ユーザーＵによって第１操作ボタン１１１が押下されると、ウェアラブル機器１０１は、図２の左下に示すように、活動量表示画面１３３を表示する。活動量表示画面１３３を表示する状態において、ユーザーＵによって第１操作ボタン１１１が押下されると、ウェアラブル機器１０１は、時計画面２００を表示する状態に戻る。活動量表示画面１３１では、最大酸素摂取量（ＶＯ２ｍａｘ）と、リカバリータイムと、マラソン時の経過時間とを表示する。活動量表示画面１３２では、単位時間当たりの心拍数（以下単に「心拍数」と称する）と過去６時間の心拍数の推移を示したグラフとを表示する。活動量表示画面１３３では、歩数と、心拍数と、消費カロリーとを表示する。
【００４４】
図３は、ウェアラブル機器１０１のハードウェア構成を示す図である。図３に示すように、ウェアラブル機器１０１は、ＣＰＵ（Central Processing Unit）３００と、電源回路３０１と、表示部１２１と、Ｆｌａｓｈ  ＲＯＭ３０２と、アンテナ３０３と、無線通信部３０４と、振動部３０５と、ライト３０６と、加速度センサー３０７と、記憶部３０８とを有する。さらに、ウェアラブル機器１０１は、操作ボタン１１１〜１１５と、脈拍センサー３０９とを有する。電源回路３０１、表示部１２１、Ｆｌａｓｈ  ＲＯＭ３０２〜記憶部３０８、操作ボタン１１１〜１１５、および脈拍センサー３０９は、ＣＰＵ３００に接続される。また、電源回路３０１は、二次電池３１０を有する。
【００４５】
ＣＰＵ３００は、ウェアラブル機器１０１を制御する制御装置（制御部あるいは処理部）である。具体的には、ＣＰＵ３００は、内部にプログラムを記憶するメモリーを備えており、ＧＰＳ（Global Positioning System）による時刻情報の生成処理、ユーザーＵの走行状態の記憶処理、および、速度算出処理などを行う。表示部１２１は、センサーで測定した測定データに基づく画像を表示する。センサーは、ウェアラブル機器１０１内部にあるセンサー、すなわち加速度センサー３０７、および脈拍センサー３０９等である。
【００４６】
電源回路３０１は、ＣＰＵ３００と電気的に接続されており、ＡＣアダプターと接続された場合、二次電池３１０を充電する。二次電池３１０は、表示部１２１やアンテナ３０３などに駆動電力を供給する。表示部１２１は、時計画面、ウェアラブル機器１０１の動作モードに応じた情報等に基づく画像を表示する。Ｆｌａｓｈ  ＲＯＭ３０２は、ＣＰＵ３００と電気的に接続されており、電源を切っても内容が消えない不揮発メモリーである。Ｆｌａｓｈ  ＲＯＭ３０２は、ウェアラブル機器１０１のファームウェアを記憶する。
【００４７】
アンテナ３０３は、ＣＰＵ３００と電気的に接続されており、例えば衛星信号を使って、ＧＰＳ時刻情報、あるいは位置情報等の衛星情報を取得する。無線通信部３０４は、ＣＰＵ３００と電気的に接続されており、情報処理端末１０２と無線通信を行う。振動部３０５は、ＣＰＵ３００と電気的に接続されており、振動によりユーザーＵに警告などを報知するための装置である。ライト３０６は、ＣＰＵ３００と電気的に接続されており、例えば測定中に表示部１２１を照射する。加速度センサー３０７は、ＣＰＵ３００と電気的に接続されており、３軸方向の加速度を検出することが可能なセンサーである。記憶部３０８は、ＣＰＵ３００と電気的に接続されており、ＣＰＵ３００が使用するワーキングメモリーである。
【００４８】
操作ボタン１１１〜１１５は、ＣＰＵ３００と電気的に接続されており、ユーザーＵの押下操作を検出する。ウェアラブル機器１０１は、ユーザーＵによって第１操作ボタン１１１が押下された場合、例えば、活動量を表示する活動量表示画面を表示部１２１に表示する。情報処理端末１０２は、図１１に示す活動量表示設定画面において、活動量表示画面の設定を行う。図１１に示す「Summary2」、「Heart Rate」、「Summary1」は、表示部１２１に表示される活動量表示画面の一例である。これらの活動量表示画面は、第１操作ボタン１１１が押下されると順番に切り替わるようになっている。また、ウェアラブル機器１０１は、ユーザーＵによって第２操作ボタン１１２が押下された場合、例えば、ウェアラブル機器１０１の機能を設定するメニュー画面を表示部１２１に表示する。また、ウェアラブル機器１０１は、ユーザーＵによって第３操作ボタン１１３が押下された場合、ウェアラブル機器１０１が複数のワークアウトに対応していれば、ワークアウト表示画面を表示部１２１に表示する。情報処理端末１０２は、図１２に示すワークアウト表示設定画面において、ワークアウト表示画面の設定を行う。図１２に示す「ラン」、「バイク」、「トライアスロン」は、表示部１２１に表示されるワークアウト表示画面の一例である。これらのワークアウト表示画面は、第３操作ボタン１１３が押下されると順番に切り替わるようになっている。
【００４９】
またウェアラブル機器１０１は、ユーザーＵによって第４操作ボタン１１４が押下された場合に、活動量表示画面を表示していれば、例えば、時計画面を表示部１２１に表示する。また、ウェアラブル機器１０１は、ユーザーＵによって第５操作ボタン１１５が押下された場合、例えば、ＧＰＳ測位を行う。
【００５０】
脈拍センサー３０９は、ＣＰＵ３００と電気的に接続されており、脈拍信号を出力する。例えば、脈拍センサー３０９は、発光部、受光部、増幅器、バンドパスフィルターおよびＡＤ変換器を備える。発光部から照射された光は血管等の人体の組織で反射して受光部に入射される。受光部は光電変換した信号、つまり脈拍信号を生成する。ＡＤ変換器は受光部が出力する信号をＡＤ変換して脈信号データを生成し、生成した脈信号データをＣＰＵ３００に出力する。生体の血管を流れる血液に含まれるヘモグロビン等による発光部からの光の吸光量が、心臓の拍動と連動して変化するため、受光部に入射する光量は、心臓の拍動の伝搬、つまり脈拍に応じたものになる。ＣＰＵ３００は、脈拍センサー３０９から出力される脈拍信号、あるいは脈拍信号をデジタル変換した脈信号データに基づいてユーザーＵの脈拍数、脈拍間隔（Ｒ−Ｒ間隔）、脈拍変動（ＨＲＶ）などを算出する。
【００５１】
図４は、情報処理端末１０２のハードウェア構成を示す図である。情報処理端末１０２は、ＣＰＵ４００と、電源回路４０１と、Ｆｌａｓｈ  ＲＯＭ４０２と、無線通信部４０３と、記憶部４０４と、タッチパネル４０５とを有する。電源回路４０１〜タッチパネル４０５は、ＣＰＵ４００に接続される。また、電源回路４０１は、二次電池４１０を有する。
【００５２】
ＣＰＵ４００は、情報処理端末１０２を制御する制御装置である。例えば、ＣＰＵ４００は、本実施形態におけるプログラムを読み出して、読み出したプログラムを実行する。電源回路４０１は、ＣＰＵ４００と電気的に接続されており、ＡＣアダプターと接続された場合、二次電池４１０を充電する。二次電池４１０は、タッチパネル４０５などに駆動電力を供給する。Ｆｌａｓｈ  ＲＯＭ４０２は、ＣＰＵ４００と電気的に接続されており、情報処理端末１０２のファームウェアを記憶する。また、Ｆｌａｓｈ  ＲＯＭ４０２は、本実施形態におけるプログラムを記憶する。無線通信部４０３は、ＣＰＵ４００と電気的に接続されており、ウェアラブル機器１０１と無線通信を行う。記憶部４０４は、ＣＰＵ４００と電気的に接続されており、ＣＰＵ４００のワーキングメモリーである。例えば、記憶部４０４は、Ｆｌａｓｈ  ＲＯＭ４０２から読み出したプログラムを一時的に記憶する。
タッチパネル４０５は、ディスプレイといった表示部の上部に、タッチセンサーといった操作部が設けられた装置である。
【００５３】
次に、図５は、情報処理端末１０２の機能構成例を示す図である。情報処理端末１０２は、制御部５００を有する。制御部５００は、取得部５０１と、表示制御部５０２と、生成部５０３と、送信部５０４とを含む。制御部５００は、記憶部４０４に記憶されたプログラムをＣＰＵ４００が実行することにより実現される機能である。
【００５４】
取得部５０１は、無線通信部４０３を介してウェアラブル機器１０１から表示設定情報５１１を取得する。表示設定情報５１１は、ウェアラブル機器１０１の表示画面に関する情報であり、例えば、３つの態様がある。第１の態様の表示設定情報５１１は、表示画面そのものを示す画像情報である。
【００５５】
第２の態様の表示設定情報５１１は、表示画面の内容および表示態様のうち少なくとも一方を示す。第３の態様の表示設定情報５１１は、ウェアラブル機器１０１が有する操作部として、操作ボタン１１１〜１１５のユーザーＵによる操作に応じて切り替わる表示画面の順番、内容、および表示態様のうち少なくとも一つを示す。表示画面の表示態様は、例えば、表示画面内の文字の大きさ、色、フォントサイズ、あるいは表示画面の大きさ、背景色等である。取得部５０１は、取得した表示設定情報５１１を、記憶部４０４またはＣＰＵ４００の記憶領域等に記憶する。
【００５６】
表示制御部５０２は、表示設定情報５１１に基づいて、タッチパネル４０５に表示設定画面を表示する。タッチパネル４０５は情報処理端末１０２の表示部として機能する。表示設定画面は、表示画面の内容を変更するために用いられる。例えば、表示設定情報５１１が表示画面そのものを示す画像情報であれば、表示制御部５０２は、当該画像情報が示す画像をタッチパネル４０５に表示する。また、表示設定情報５１１が表示画面の順番、内容、および表示態様のうち少なくとも一つを示す場合、表示制御部５０２は、表示設定情報５１１に基づいてタッチパネル４０５に画像を表示する。具体的には、表示設定情報５１１が表示画面の順番を含む場合には、表示制御部５０２は、ユーザーＵによる表示画面の順番の変更が反映された表示設定画面を、タッチパネル４０５に表示する。また、表示設定情報５１１が表示画面の内容を含む場合には、表示制御部５０２は、ユーザーＵによる表示画面の内容の変更が反映された表示設定画面を、タッチパネル４０５に表示する。また、表示設定情報５１１が表示画面の表示態様を含む場合には、表示制御部５０２は、ユーザーＵによる表示画面の表示態様の変更が反映された表示設定画面を、タッチパネル４０５に表示する。
ここで、表示画面の順番を変更することは、操作ボタン１１１〜１１５の操作に対応して表示される表示画面の順番を入れ替えることと、任意の表示画面を追加することと、削除することとのうち少なくともいずれか一つを含む。換言すると、表示画面の順番を変更することは、ある表示画面を表示させるための操作ボタン１１１〜１１５の操作回数を変更することを意味する。
また、表示画面の内容を変更することは、任意の表示画面において表示される情報を追加すること、または削除することを含む。
また、表示画面の表示態様を変更することは、表示画面において表示させる項目または情報の表現を変更することであり、例えば、文字や数字を含むテキスト表示、グラフ表示、アイコン表示などの表現方法を変更すること、または選択することを含む。
情報処理端末１０２は、予め複数の表示画面の識別情報の各々と対応付けて画像情報を記憶部４０４等に記憶しておく。そして、表示制御部５０２は、取得部５０１が取得した表示設定情報５１１に含まれる表示画面の識別情報に対応する画像情報を記憶部４０４から読み出して、読み出した画像情報が示す画像をタッチパネル４０５に表示する。また、表示設定画面の具体例は、図１１に示す活動量表示設定画面、図１２に示すワークアウト表示設定画面、および、図１３に示す測定表示設定画面がある。
【００５７】
生成部５０３は、タッチパネル４０５に表示した表示設定画面に対するユーザーＵによる変更操作に基づいて、表示設定変更情報５１３を生成する。表示設定変更情報５１３は、例えば、２つの態様がある。第１の態様の表示設定変更情報５１３は、表示設定情報５１１と同様の情報を有する。第２の態様の表示設定変更情報５１３は、表示設定情報５１１のうち変更があった箇所だけの情報を有する。例えば、表示設定情報５１１が、２つの表示画面に関する情報を有しており、ユーザーＵによる変更操作によって、２番目の表示画面に関する情報だけが変更されたとする。表示設定変更情報５１３が第２の態様である場合、生成部５０３は、２番目の表示画面に関する情報を、表示設定変更情報５１３として生成する。生成部５０３は、生成した表示設定変更情報５１３を、記憶部４０４またはＣＰＵ４００の記憶領域等に記憶する。
【００５８】
送信部５０４は、表示設定変更情報５１３を情報処理端末１０２からウェアラブル機器１０１へ送信する。ウェアラブル機器１０１は、表示設定変更情報５１３を用いて表示画面を表示する。
【００５９】
また、上述したように操作ボタン１１１〜１１５に対するユーザーＵの操作に応じて表示部１２１に表示される表示画面が順次切り替わる。表示制御部５０２は、ユーザーＵによる操作ボタン１１１〜１１５の操作の順序と関連付けて複数の表示画面を配置した表示設定画面を表示部１２１に表示させる。例えば、表示部１２１に表示される複数の表示画面が、第１操作ボタン１１１の押下回数によって順次切り換わると想定する。この場合、表示制御部５０２は、表示設定画面内に、前述の複数の表示画面を、第１操作ボタン１１１の押下回数の順に並べて配置する。
【００６０】
上述したように、生成部５０３は、タッチパネル４０５に表示した表示設定画面に対するユーザーＵによる変更操作に基づいて、表示設定変更情報５１３を生成する。表示部１２１に表示される表示画面の順番、内容、および表示態様の少なくともいずれかに関する変更操作を受け付けると、生成部５０３は表示設定変更情報５１３を生成する。より具体的には、生成部５０３は、変更操作を受け付けた直後に表示設定変更情報５１３を生成してもよいし、変更操作を受け付けた後、ユーザーＵの操作を一定時間受け付けなかった場合に、表示設定変更情報５１３を生成してもよい。
さらに、生成部５０３は、ユーザーＵから表示設定変更情報５１３を送信する指示を受け付けた際に、前述の指示より前に受け付けた変更操作に基づいて表示設定変更情報５１３を生成してもよい。
【００６１】
また、ウェアラブル機器１０１は、ユーザーＵの状態を表す複数の項目を計測することが可能である。複数の項目には、例えば、脈拍センサー３０９によって測定可能なユーザーＵの心拍数と、ＧＰＳ測位および加速度センサー３０７によって測定可能なユーザーＵが移動した距離とが含まれる。そして、表示部１２１は、第１表示領域５２１および第２表示領域５２２を含んでもよく、さらに、表示部１２１は、３つ以上の表示領域を含むことが可能である。表示部１２１が第１表示領域５２１および第２表示領域５２２を含む画面を、図１３等に示す。
【００６２】
次に、第１表示領域５２１には、少なくとも複数の項目から選択された一つの項目が表示され、同様に第２表示領域５２２には、少なくとも複数の項目から選択された一つの項目が表示される。そして、表示設定情報５１１は、第１表示領域５２１の表示される項目を識別する第１識別データ５３１と第２表示領域５２２の表示される項目を識別する第２識別データ５３２とを含む。例えば、第１表示領域５２１の表示される項目が心拍数であり、第２表示領域５２２の表示される項目が距離であったとする。この場合、第１識別データ５３１は、心拍数を識別するデータとなり、第２識別データ５３２は、距離を識別するデータとなる。
次に、表示制御部５０２は、第１識別データ５３１に基づいて第１表示領域５２１に表示すべき画像をタッチパネル４０５に表示させ、第２識別データ５３２に基づいて第２表示領域５２２に表示すべき画像をタッチパネル４０５に表示させる。
【００６３】
そして、表示制御部５０２は、タッチパネル４０５の操作に応じて第１表示領域５２１に表示可能な項目の複数の項目候補に基づく画像を表示する。ここで、表示制御部５０２は、複数の項目候補に基づく画像の表示方法として、例えば、２つの方法のうちいずれか一つの方法を実行する。第１の方法として、表示制御部５０２は、項目候補情報５１２を参照して、複数の項目候補に基づく画像を表示する。第１の方法における項目候補情報５１２は、表示可能な項目の項目候補を有する情報である。第２の方法において、第２の方法における項目候補情報５１２は、ワークアウトごとの表示可能な項目の項目候補を有する。第２の方法における表示制御部５０２は、第２の方法における項目候補情報５１２を参照して、現在のワークアウトに対応する項目候補に基づく画像を表示する。以降の説明では、表示制御部５０２が第２の方法を実行する場合を用いて説明する。
生成部５０３は、第１識別データ５３１を更新する。更新後の第１識別データ５３１はタッチパネル４０５の操作に応じて複数の項目候補の中から選択された項目を示す。例えば、タッチパネル４０５の操作によって、第１表示領域５２１の表示される項目が心拍数から標高に更新されたとする。この場合、生成部５０３は、心拍数を示す第１識別データ５３１を、標高を識別する第１識別データ５３１に更新する。
この後、送信部５０４は、更新された第１識別データ５３１を含む表示設定変更情報５１３をウェアラブル機器１０１に送信する。
【００６４】
また、複数の項目候補には、例えば、以下の３種類の項目の少なくともいずれかが含まれる。第１の項目は、時刻である。第２の項目は、ユーザーＵの活動に関する項目であり、例えば、心拍数が該当する。
第３の項目は、ユーザーＵの活動を解析して得られた指標に関する項目である。ユーザーＵの活動を解析して得られた指標とは、ウェアラブル機器１０１のセンサー等によって得られた値に所定の処理を施して得られた値である。このような指標には、例えば、歩数、平均ペース、平均ストライド、平均スピード、およびラップが含まれる。ラップは、単位時間当たりのウェアラブル機器１０１が移動した距離、単位距離当たりのウェアラブル機器１０１が移動にかかった時間、または予め定められた複数の走行区間の番号である。ウェアラブル機器１０１の移動した距離は、すなわち、ウェアラブル機器１０１を身に付けたユーザーＵの移動した距離を示す。同様に、ウェアラブル機器１０１が移動にかかった時間は、すなわち、ウェアラブル機器１０１を身に付けたユーザーＵの移動にかかった時間を示す。ここで、単位時間は、例えば、１分または１時間などである。また、単位時間は、ユーザーＵが指定した時間間隔でもよい。同様に、単位距離は、例えば、１マイルまたは１ｋｍである。また、単位距離は、ユーザーＵが指定した距離間隔でもよい。予め定められた複数の走行区間の番号について、例えば、複数の走行区間として、１ｋｍごとの走行区間が予め定められていると想定する。この場合、最初の１ｋｍの走行区間の番号は、「１」となり、次の１ｋｍの走行区間の番号は、「２」となる。
【００６５】
また、表示設定情報５１１が、操作ボタン１１１〜１１５のユーザーＵによる操作に応じて表示部１２１に表示される表示画面の内容に関する情報であると想定する。この場合、表示制御部５０２は、模擬画像と表示設定情報５１１に含まれる内容を示す画像とを、タッチパネル４０５に表示させることが可能である。ここで、模擬画像は、図１を参照して説明したように、ウェアラブル機器１０１を模した画像であり、例えば、２つの表示内容態様と、２つの表示範囲態様とがある。第１の表示内容態様の模擬画像は、表示部１２１が見える方向からのウェアラブル機器１０１の写真画像である。第２の表示内容態様の模擬画像は、表示部１２１が見える方向からのウェアラブル機器１０１の特徴を、誇張、強調して簡略化、省略化した画像である。第１の表示範囲態様の模擬画像は、ウェアラブル機器１０１全体の画像である。第２の表示範囲態様の模擬画像は、ウェアラブル機器１０１の輪郭だけを示す画像である。模擬画像は、２つの表示内容態様と２つの表示範囲態様との各組み合わせのうち、いずれの組み合わせでもよい。
また、模擬画像と、表示設定情報５１１に含まれる内容を示す画像との表示方法について、表示制御部５０２は、模擬画像の２つの表示範囲態様のそれぞれに応じた方法を実行する。第１の表示範囲態様が採用された場合には、表示制御部５０２は、模擬画像上の表示部１２１に対応する位置に、表示設定情報５１１に含まれる内容を示す画像を重ねた画像を、タッチパネル４０５に表示させる。また、第２の表示範囲態様が採用された場合には、表示制御部５０２は、模擬画像をタッチパネル４０５に表示させるとともに、表示設定情報５１１に含まれる内容を示す画像を、タッチパネル４０５における模擬画像が示す輪郭の内側に表示させる。
【００６６】
また、表示設定情報５１１が、操作ボタン１１１〜１１５のユーザーＵによる操作に応じて表示部１２１に表示される表示画面の内容および表示態様に関する情報であると想定する。この場合、表示制御部５０２は、模擬画像の表示態様を、表示設定情報５１１に含まれる表示態様を用いて設定する。そして、表示制御部５０２は、設定後の模擬画像に表示設定情報５１１に含まれる内容を示す画像を重ねた画像を表示画面として、タッチパネル４０５に表示させる。
【００６７】
次に、情報処理端末１０２が実行するマイデバイス画面表示処理の内容を示すフローチャートを、図６〜図９を用いて説明する。
【００６８】
図６は、マイデバイス画面表示処理の内容を示すフローチャートである。まず、ＣＰＵ４００は、無線通信部４０３によって無線接続された情報処理端末１０２から、表示設定情報５１１を取得する（ステップＳ６０１）。次に、ＣＰＵ４００は、タッチパネル４０５にマイデバイス画面を表示する（ステップＳ６０２）。ここで、マイデバイス画面は、ウェアラブル機器１０１の動作に関する設定を行うための画面である。
【００６９】
図１０に、ステップＳ６０２の処理によって表示されるマイデバイス画面１００１を示す。マイデバイス画面１００１には、活動量表示設定ボタン１００２と、ワークアウト表示設定ボタン１００３と、時計画面表示設定ボタン１００４と、一般設定ボタン１００５とが含まれる。
【００７０】
説明を図６に戻す。ステップＳ６０２の処理終了後、ＣＰＵ４００は、ユーザーＵによるタッチパネル４０５の操作を受け付ける（ステップＳ６０３）。ユーザーＵからの操作を受け付けたら、ＣＰＵ４００は、ユーザーＵによって操作された領域を判定する（ステップＳ６０４）。
【００７１】
操作された領域が活動量表示設定ボタン１００２内である場合（ステップＳ６０４：活動量表示設定ボタン）、ＣＰＵ４００は、活動量表示設定処理を実行する（ステップＳ６０５）。活動量表示設定処理では、ウェアラブル機器１０１で表示される活動量表示画面を設定する。ステップＳ６０５の処理終了後、ＣＰＵ４００は、処理をステップＳ６０３に戻す。
【００７２】
また、操作された領域がワークアウト表示設定ボタン１００３内である場合（ステップＳ６０４：ワークアウト表示設定ボタン）、ＣＰＵ４００は、無線通信部４０３によって接続されたウェアラブル機器１０１が複数のワークアウト種別に対応するか否かを判断する（ステップＳ６０６）。例えば、ＣＰＵ４００は、ウェアラブル機器１０１の種別を示す情報をウェアラブル機器１０１から取得し、当該情報に基づいて判別する。
無線通信部４０３によって接続されたウェアラブル機器１０１が複数のワークアウト種別に対応しない場合（ステップＳ６０６：Ｎｏ）、ＣＰＵ４００は、測定表示設定処理を実行する（ステップＳ６０７）。測定表示設定処理は、所定のワークアウトにおける測定結果を表示する態様を設定する処理である。一方、無線通信部４０３によって接続されたウェアラブル機器１０１が複数のワークアウト種別に対応する場合（ステップＳ６０６：Ｙｅｓ）、ＣＰＵ４００は、ワークアウト表示設定処理を実行する（ステップＳ６０８）。ワークアウト表示設定処理では、ウェアラブル機器１０１で表示されるワークアウト表示画面を設定する。ステップＳ６０６またはステップＳ６０７の処理終了後、ＣＰＵ４００は、処理をステップＳ６０３に戻す。
【００７３】
また、操作された領域が時計画面表示設定ボタン１００４内である場合（ステップＳ６０４：時計画面表示設定ボタン）、ＣＰＵ４００は、時計画面表示設定処理を実行する（ステップＳ６０９）。時計画面表示設定処理では、時計画面に何を表示するかを設定する。ステップＳ６０９の処理終了後、ＣＰＵ４００は、処理をステップＳ６０３に戻す。
【００７４】
また、操作された領域が、活動量表示設定ボタン１００２、ワークアウト表示設定ボタン１００３、時計画面表示設定ボタン１００４以外のその他の領域である場合（ステップＳ６０４：その他）、ＣＰＵ４００は、操作された領域に対応する処理を実行する（ステップＳ６１０）。ここで、その他の領域とは、例えば、一般設定ボタン１００５である。操作された領域が一般設定ボタン１００５である場合、ＣＰＵ４００は、一般設定処理を実行する。一般設定処理では、例えば、各心拍数ゾーンの上限と下限とを設定したり、サマータイムのオン、オフを設定したり、タイムゾーンを自動とするか否かを設定したりする。ステップＳ６１０の処理終了後、ＣＰＵ４００は、処理をステップＳ６０３に戻す。
【００７５】
図７は、活動量表示設定処理の内容を示すフローチャートである。ＣＰＵ４００は、タッチパネル４０５に活動量表示設定画面を表示する（ステップＳ７０１）。活動量表示設定画面は、ウェアラブル機器１０１が表示する複数の活動量表示画面の各々を模擬する各活動量表示模擬画面を、第１操作ボタン１１１の押下操作の回数の順番で並べて表示する画面である。
【００７６】
図１１に、ステップＳ７０１の処理によって表示される活動量表示設定画面１１０１を示す。図１１の左に示す活動量表示設定画面１１０１は、メニューを表示するボタン１１０３が押下される前の状態を示しており、図１１の右に示す活動量表示設定画面１１０１は、メニューを表示するボタン１１０３が押下された後の状態を示す。図１１の左に示す活動量表示設定画面１１０１には、戻るボタン１１０２と、メニューを表示するボタン１１０３と、時計模擬画面１１１１と、各活動量表示模擬画面１１１２〜１１１４とが含まれる。時計模擬画面１１１１は、図２に示した時計画面２００を模擬した画面である。また、図１１の右に示す活動量表示設定画面１１０１には、さらに、Change  the  Orderを示すメニュー項目１１２１と、Add  Eventを示すメニュー項目１１２２と、Delete  Eventを示すメニュー項目１１２３とが含まれる。
【００７７】
また、図１１に示す活動量表示設定画面１１０１には、ウェアラブル機器１０１への書き込みを示す領域が含まれていないが、例えば、活動量表示設定画面１１０１の下部にウェアラブル機器１０１への書き込みを示す領域が含まれてもよい。また、ＣＰＵ４００は、メニュー項目１１２１〜１１２３のいずれかによって活動量表示画面が表示される順番が変更された際に、活動量表示設定画面１１０１内に、ウェアラブル機器１０１への書き込みを示す領域を表示してもよい。
【００７８】
図１１に示す各活動量表示模擬画面１１１２〜１１１４と、時計模擬画面１１１１とには、ウェアラブル機器１０１の模擬画像が含まれる。例えば、活動量表示模擬画面１１１２は、「Summary2」の活動量表示画面を模擬した画面である。また、活動量表示模擬画面１１１３は、「Heart Rate」の活動量表示画面を模擬した画面である。また、活動量表示模擬画面１１１４は、「Summary1」の活動量表示画面を模擬した画面である。
【００７９】
ＣＰＵ４００は、活動量表示設定画面１１０１全体がタッチパネル４０５に表示できない場合には、活動量表示設定画面１１０１の一部の領域だけをタッチパネル４０５に表示してもよい。そして、ＣＰＵ４００は、スワイプ操作によって活動量表示設定画面１１０１を表示させる領域を変更させてもよい。
【００８０】
活動量表示設定画面１１０１は、表示部１２１が時計画面を表示する際に、ユーザーＵによって第１操作ボタン１１１が押下されると、「Summary2」の活動量表示画面が表示部１２１に表示されることを示す。さらに、活動量表示設定画面１１０１は、第１操作ボタン１１１が押下される順に、「Heart Rate」の活動量表示画面、「Summary1」の活動量表示画面、時計画面２００が表示されることを示す。
【００８１】
なお、活動量表示模擬画面１１１２〜１１１４内のウェアラブル機器１０１の模擬画像は、図５を参照して説明したように、情報処理端末１０２が予め記憶する画像である。さらに、活動量表示模擬画面１１１２〜１１１４内の数値は、見本であって、ユーザーＵの活動を測定した値または測定した値を解析して得られた指標値ではない。ただし、ＣＰＵ４００は、ウェアラブル機器１０１からユーザーＵの活動を測定した値または測定した値を解析して得られた指標値を取得して、活動量表示模擬画面１１１２〜１１１４内の数値として表示してもよい。さらに、ウェアラブル機器１０１と情報処理端末１０２とが通信している状態であれば、ＣＰＵ４００は、ウェアラブル機器１０１で測定される値を、リアルタイムに情報処理端末１０２が取得して、活動量表示模擬画面１１１２〜１１１４に表示してもよい。
【００８２】
説明を図７に戻す。
ステップＳ７０１の処理終了後、ＣＰＵ４００は、ユーザーＵによるタッチパネル４０５の操作を受け付ける（ステップＳ７０２）。ユーザーＵからの操作を受け付けたら、ＣＰＵ４００は、ユーザーＵによって操作された領域を判定する（ステップＳ７０３）。
【００８３】
操作された領域がChange  the  Orderを示すメニュー項目１１２１内である場合（ステップＳ７０３：Change  the  Order）、ＣＰＵ４００は、表示画面切り替え処理を実行する（ステップＳ７０４）。表示画面切り替え処理として、例えば、ＣＰＵ４００は、各活動量表示模擬画面内に、一つ上に移動させるボタンと、一つ下に移動させるボタンとを表示する。一つ上に移動させるボタンが押下された場合には、ＣＰＵ４００は、一つ上に移動させるボタンに対応する活動量表示模擬画面と、一つ上に移動させるボタンに対応する活動量表示画面の上にある活動量表示模擬画面とを入れ替える。ステップＳ７０４の処理終了後、ＣＰＵ４００は、処理をステップＳ７０２に戻す。
【００８４】
また、操作された領域がAdd  Eventを示すメニュー項目１１２２内である場合（ステップＳ７０３：Add  Event）、ＣＰＵ４００は、表示画面追加処理を実行する（ステップＳ７０５）。表示画面追加処理として、例えば、ＣＰＵ４００は、追加させる新たな活動量表示模擬画面を示すアイコンを表示する。ユーザーＵは、表示されたアイコンをスワイプ操作によって移動させる。ＣＰＵ４００は、ユーザーＵがアイコンから指を離した位置に応じて、現在表示している各活動量表示模擬画面の間に、新たな活動量表示模擬画面を配置する。ステップＳ７０５の処理終了後、ＣＰＵ４００は、処理をステップＳ７０２に戻す。
【００８５】
また、操作された領域がDelete  Eventを示すメニュー項目１１２３内である場合（ステップＳ７０３：Delete  Event）、ＣＰＵ４００は、表示画面削除処理を実行する（ステップＳ７０６）。表示画面削除処理として、例えば、ＣＰＵ４００は、各活動量表示模擬画面内に、削除を示すボタンを表示する。そして、ＣＰＵ４００は、押下されたボタンに対応する活動量表示模擬画面を削除する。ステップＳ７０６の処理終了後、ＣＰＵ４００は、処理をステップＳ７０２に戻す。
【００８６】
ステップＳ７０４〜Ｓ７０６の処理により、ユーザーＵは、複数の活動量表示画面を活動量表示設定画面１１０１という一画面内で確認しながら、複数の活動量表示画面の順番の入れ替え、活動量表示画面の追加、削除といった操作を行うことができる。ここで、活動量表示設定画面１１０１内の複数の活動量表示画面が並べられた順番が、第１操作ボタン１１１の操作回数に対応する。このため、ユーザーＵは、複数の活動量表示画面の順番の入れ替え、活動量表示画面の追加、削除を、直感的に行うことが可能になる。
【００８７】
また、操作された領域がウェアラブル機器１０１への書き込みを示す領域である場合（ステップＳ７０３：ウェアラブル機器１０１への書き込み）、ＣＰＵ４００は、活動量表示設定画面に対するユーザーＵによる変更操作に基づいて、表示設定変更情報５１３を生成する（ステップＳ７０７）。そして、ＣＰＵ４００は、生成した表示設定変更情報５１３を、無線通信部４０３によって接続されたウェアラブル機器１０１に送信する（ステップＳ７０８）。ステップＳ７０８の処理終了後、ＣＰＵ４００は、処理をステップＳ７０２に戻す。
【００８８】
また、操作された領域が戻るボタン１１０２内である場合（ステップＳ７０３：戻るボタン）、ＣＰＵ４００は、活動量表示設定処理を終了する。活動量表示設定処理を終了することにより、ＣＰＵ４００は、マイデバイス画面表示処理に戻ることになる。このとき、ＣＰＵ４００は、前の画面、すなわちマイデバイス画面１００１を再表示して、ステップＳ６０３の処理を実行する。
【００８９】
また、操作された領域が、その他の領域である場合（ステップＳ７０３：その他）、ＣＰＵ４００は、操作された領域に対応する処理を実行する（ステップＳ７０９）。ここで、その他の領域とは、メニュー項目１１２１〜１１２３と、ウェアラブル機器１０１への書き込み領域と、戻るボタン１１０２以外の領域である。ステップＳ７０９の処理終了後、ＣＰＵ４００は、処理をステップＳ７０２の処理に戻す。
【００９０】
図８は、ワークアウト表示設定処理の内容を示すフローチャートである。ＣＰＵ４００は、タッチパネル４０５にワークアウト表示設定画面を表示する（ステップＳ８０１）。ワークアウト表示設定画面は、ウェアラブル機器１０１が表示する複数のワークアウト表示画面の各ワークアウト表示画面を模擬する各ワークアウト表示模擬画面を、第１操作ボタン１１１の押下操作の回数の順番で並べて表示する画面である。ワークアウト表示設定画面の具体例は、図１２に示す。
【００９１】
図１２は、ステップＳ８０１の処理によって表示されるワークアウト表示設定画面１２０１を示す。図１２の左に示すワークアウト表示設定画面１２０１は、メニューを表示するボタン１１０３が押下される前の状態を示しており、図１２の右に示すワークアウト表示設定画面１２０１は、メニューを表示するボタン１１０３が押下された後の状態を示す。図１２の左に示すワークアウト表示設定画面１２０１には、戻るボタン１１０２と、メニューを表示するボタン１１０３と、時計模擬画面１１１１と、各ワークアウト表示模擬画面１２０２〜１２０４とを示す。また、図１２の右に示すワークアウト表示設定画面１２０１には、さらに、Change  the  Orderを示すメニュー項目１１２１と、Add  Eventを示すメニュー項目１１２２と、Delete  Eventを示すメニュー項目１１２３とが含まれる。
【００９２】
また、図１２に示すワークアウト表示設定画面１２０１には、ウェアラブル機器１０１への書き込みを示す領域が含まれていないが、例えば、ワークアウト表示設定画面１２０１の下部にウェアラブル機器１０１への書き込みを示す領域が含まれてもよい。また、ＣＰＵ４００は、メニュー項目１１２１〜１１２３のいずれかによって活動量表示画面が表示される順番が変更された際に、ワークアウト表示設定画面１２０１内に、ウェアラブル機器１０１への書き込みを示す領域を表示してもよい。
【００９３】
ここで、図１２に示すワークアウト表示設定画面１２０１内の項目について、活動量表示設定画面１１０１内と同一の符号を有する項目は、活動量表示設定画面１１０１と同様となるため、説明を省略する。ワークアウト表示模擬画面１２０２は、ワークアウト種別として「ラン」を表示する画面を模擬した画面である。また、ワークアウト表示模擬画面１２０３は、ワークアウト種別として「バイク」を表示する画面を模擬した画面である。また、ワークアウト表示模擬画面１２０４は、ワークアウト種別として「トライアスロン」を表示する画面を模擬した画面である。
【００９４】
図１２に示すワークアウト表示設定画面１２０１は、表示部１２１が時計画面を表示する際に、ユーザーＵによって第３操作ボタン１１３が押下されると、ラン項目を示すワークアウト表示画面が表示部１２１に表示されることを示す。さらに、ワークアウト表示設定画面１２０１は、第３操作ボタン１１３が押下される順に、バイク項目を表示するワークアウト表示画面、トライアスロン項目のワークアウト表示画面、時計画面が表示されることを示す。
【００９５】
説明を図８に戻す。
ステップＳ８０１の処理終了後、ＣＰＵ４００は、ユーザーＵによるタッチパネル４０５の操作を受け付ける（ステップＳ８０２）。ユーザーＵからの操作を受け付けたら、ＣＰＵ４００は、ユーザーＵによって操作された領域を判定する（ステップＳ８０３）。
【００９６】
操作された領域がChange  the  Orderを示すメニュー項目１１２１内である場合（ステップＳ８０３：Change  the  Order）、ＣＰＵ４００は、表示画面切り替え処理を実行する（ステップＳ８０４）。ワークアウト表示設定処理における表示画面切り替え処理は、活動量表示設定処理における表示画面切り替え処理と同一であるため、説明を省略する。ステップＳ８０４の処理終了後、ＣＰＵ４００は、処理をステップＳ８０２に戻す。
【００９７】
また、操作された領域がAdd  Eventを示すメニュー項目１１２２内である場合（ステップＳ８０３：Add  Event）、ＣＰＵ４００は、表示画面追加処理を実行する（ステップＳ８０５）。ワークアウト表示設定処理における表示画面追加処理は、活動量表示設定処理における表示画面追加処理と同一であるため、説明を省略する。ステップＳ８０５の処理終了後、ＣＰＵ４００は、処理をステップＳ８０２の処理に戻す。
【００９８】
また、操作された領域がDelete  Eventを示すメニュー項目１１２３内である場合（ステップＳ８０３：Delete  Event）、ＣＰＵ４００は、表示画面削除処理を実行する（ステップＳ８０６）。ワークアウト表示設定処理における表示画面削除処理は、活動量表示設定処理における表示画面削除処理と同一であるため、説明を省略する。ステップＳ８０６の処理終了後、ＣＰＵ４００は、処理をステップＳ８０２の処理に戻す。
【００９９】
ステップＳ８０４〜Ｓ８０６の処理により、ユーザーＵは、複数のワークアウト表示画面をワークアウト表示設定画面１２０１という一画面内で確認しながら、ワークアウト表示画面の順番の入れ替え、ワークアウト表示画面の追加、削除といった操作を行うことができる。ここで、ワークアウト表示設定画面１２０１内の複数の活動量表示画面が並べられた順番が、第３操作ボタン１１３の操作回数に対応する。このため、ユーザーＵは、ワークアウト表示画面の順番の入れ替え、活動量表示画面の追加、削除を、直感的に行うことが可能になる。
【０１００】
また、操作された領域がワークアウト表示模擬画面１２０２〜１２０４のいずれかのワークアウト模擬画面内である場合（ステップＳ８０３：ワークアウト表示模擬画面）、ＣＰＵ４００は、測定表示設定処理を実行する（ステップＳ８０７）。ステップＳ８０７の処理終了後、ＣＰＵ４００は、処理をステップＳ８０２の処理に戻す。
【０１０１】
また、操作された領域がウェアラブル機器１０１への書き込みを示す領域である場合（ステップＳ８０３：ウェアラブル機器１０１への書き込み）、ＣＰＵ４００は、ワークアウト表示設定画面に対するユーザーＵによる変更操作に基づいて、表示設定変更情報５１３を生成する（ステップＳ８０８）。そして、ＣＰＵ４００は、生成した表示設定変更情報５１３を、無線通信部４０３によって接続されたウェアラブル機器１０１に送信する（ステップＳ８０９）。ステップＳ８０９の処理終了後、ＣＰＵ４００は、処理をステップＳ８０２に戻す。
【０１０２】
また、操作された領域が戻るボタン１１０２内である場合（ステップＳ８０３：戻るボタン）、ＣＰＵ４００は、ワークアウト表示設定処理を終了する。ワークアウト表示設定処理を終了することにより、ＣＰＵ４００は、前の画面、すなわちマイデバイス画面表示処理に戻ることになる。このとき、ＣＰＵ４００は、マイデバイス画面１００１を再表示して、ステップＳ６０２の処理を実行する。
【０１０３】
また、操作された領域が、その他の領域である場合（ステップＳ８０３：その他）、ＣＰＵ４００は、操作された領域に対応する処理を実行する（ステップＳ８１０）。ここで、その他の領域とは、メニュー項目１１２１〜１１２３と、ワークアウト表示模擬画面１２０２〜１２０４と、ウェアラブル機器１０１への書き込みを示す領域と、戻るボタン１１０２以外の領域である。ステップＳ８１０の処理終了後、ＣＰＵ４００は、処理をステップＳ８０２の処理に戻す。
【０１０４】
図９は、測定表示設定処理の内容を示すフローチャートである。ＣＰＵ４００は、測定表示設定画面を表示する（ステップＳ９０１）。測定表示設定画面は、ウェアラブル機器１０１の各センサーによって測定される値の種類を設定する画面である。測定表示設定画面の具体例は、図１３に示す。
【０１０５】
図１３は、ステップＳ９０１の処理によって表示される測定表示設定画面１３０１を示す。図１３の中央の測定表示設定画面１３０１には、戻るボタン１３０２と、表示領域の表示内容変更メニュー１３０３と、ウェアラブル機器模擬画像内の各表示領域１３１１〜１３１３と、フェース切り替え領域１３１４と、ウェアラブル機器１０１への書き込みを示す領域１３１５とが含まれる。
【０１０６】
ここで、図１３に示す表示領域１３１１がウェアラブル機器１０１の第１表示領域５２１に対応し、表示領域１３１２が第２表示領域５２２に対応し、表示領域１３１３が第３表示領域５２３に対応する。また、図１３以降に示すフェース切り替え領域１３１４内の各フェースのボタンのうち、現在選択されているフェースを、白抜き文字を用いて示す。フェースとは、ウェアラブル機器１０１の文字盤である。ユーザーＵは、フェースごとに、ウェアラブル機器１０１の表示画面を設定することが可能である。
【０１０７】
図１３では、ユーザーＵによって表示内容変更メニュー１３０３が押下されたとする。この場合、ＣＰＵ４００は、図１３の右側の測定表示設定画面１３０１に示すように、表示内容変更メニュー１３０３の選択項目の候補となる項目候補１３１６を表示する。
【０１０８】
説明を図９に戻す。
ステップＳ９０１の処理終了後、ＣＰＵ４００は、ユーザーＵによるタッチパネル４０５の操作を受け付ける（ステップＳ９０２）。ユーザーＵからの操作を受け付けたら、ＣＰＵ４００は、ユーザーＵによって操作された領域を判定する（ステップＳ９０３）。
【０１０９】
操作された領域が、表示領域の表示内容変更メニュー１３０３内である場合（ステップＳ９０３：表示領域の表示内容変更メニュー）、ＣＰＵ４００は、表示内容変更処理を実行する（ステップＳ９０４）。表示内容変更処理では、表示内容変更メニュー１３０３で示される項目のうち、ウェアラブル機器１０１の模擬画像内の表示内容を、ユーザーＵが指定した項目に変更する。ここで、表示内容変更メニュー１３０３で示される項目は、１行表示、２行表示、３行表示、ペース＆グラフ、心拍数＆グラフ、ラップ、目標ペース、およびウェイポイントである。表示内容変更メニュー１３０３で示される各項目のいずれに変更した後の測定表示設定画面の具体例については、図１４と図１５とに示す。
【０１１０】
図１４および図１５は、表示内容変更メニューの選択項目変更例を示す。図１４および図１５では、図面の大きさの都合上、測定表示設定画面１３０１内において変更される表示領域だけを表示する。
【０１１１】
図１４内の（Ａ）に示す表示領域１４０１は、ユーザーＵによって表示内容変更メニュー１３０３の選択項目が「１行表示」に変更された状態を示す。ＣＰＵ４００は、変更された項目に従って、１行の表示領域１４０２を表示する。図１４内の（Ｂ）に示す表示領域１４１１は、ユーザーＵによって表示内容変更メニュー１３０３の選択項目が「２行表示」に変更された状態を示す。ＣＰＵ４００は、変更された項目に従って、２行の表示領域１４１２、および１４１３を表示する。
【０１１２】
図１４内の（Ｃ）に示す表示領域１４２１は、ユーザーＵによって表示内容変更メニュー１３０３の選択項目が「３行表示」に変更された状態を示す。この場合、変更前後で選択項目が変化していないため、測定表示設定画面１３０１内の画像は変更されない。図１４内の（Ｄ）に示す表示領域１４３１は、ユーザーＵによって表示内容変更メニュー１３０３の選択項目が「ペース＆グラフ」に変更された状態を示す。ＣＰＵ４００は、変更された項目に従って、ペースの値と、ペースを示すグラフとを示す表示領域１４３２を表示する。
【０１１３】
図１５内の（Ｅ）に示す表示領域１５０１は、ユーザーＵによって表示内容変更メニュー１３０３の選択項目が「心拍数＆グラフ」に変更された状態を示す。ＣＰＵ４００は、変更された項目に従って、心拍数の値と、心拍数を示すグラフとを示す表示領域１５０２を表示する。図１５内の（Ｆ）に示す表示領域１５１１は、ユーザーＵによって表示内容変更メニュー１３０３の選択項目が「ラップ」に変更された状態を示す。ＣＰＵ４００は、変更された項目に従って、ラップを表示する。
【０１１４】
図１５内の（Ｇ）に示す表示領域１５２１は、ユーザーＵによって表示内容変更メニュー１３０３の選択項目が「目標ペース」に変更された状態を示す。ＣＰＵ４００は、変更された項目に従って、目標ペースを表示する。図１５内の（Ｈ）に示す表示領域１５３１は、ユーザーＵによって表示内容変更メニュー１３０３の選択項目が「ウェイポイント」に変更された状態を示す。ＣＰＵ４００は、変更された項目に従って、ウェイポイントを表示する。
【０１１５】
説明を図９に戻す。
ステップＳ９０４の処理終了後、ＣＰＵ４００は、処理をステップＳ９０２に戻す。
【０１１６】
また、操作された領域が、ウェアラブル機器模擬画像内の各表示領域１３１１〜１３１３のいずれかである場合（ステップＳ９０３：ウェアラブル機器模擬画像内の各表示領域）、ＣＰＵ４００は、表示領域表示内容変更処理を実行する（ステップＳ９０５）。表示領域表示内容変更処理として、例えば、ＣＰＵ４００は、項目候補情報５１２を参照して、現在のワークアウト種別で表示可能な項目の候補を表示する。そして、ＣＰＵ４００は、表示した候補から、ユーザーＵが押下した項目を応じた項目を表示する。表示領域表示内容変更処理実行後の測定表示設定画面の具体例については、図１６と図１７とに示す。
【０１１７】
図１６の左側に示す測定表示設定画面１３０１が示すように、ユーザーＵによって表示領域１３１１が押下された場合、ＣＰＵ４００は、図１６の右側に示す測定表示設定画面１６０１を示す。測定表示設定画面１６０１には、表示領域１３１１の候補となる項目候補１６０２が含まれる。ここで、表示される項目候補１６０２は、現在のワークアウト種別に対応する項目候補となる。ワークアウト種別に対応する項目候補の一例については、図１９に示す。
【０１１８】
図１９は、ワークアウトに応じた項目候補を示す。図１９に示す項目候補情報５１２は、各ワークアウト種別に対応する項目候補の一例を示す。図１９に示す項目候補情報５１２内の「●」が、ワークアウト種別に対応する項目候補であることを示し、「−」が、ワークアウト種別に対応する項目候補でないことを示す。例えば、ラン項目では、時刻、距離などが項目候補であり、スイムタイム、スイム距離が項目候補でないことを示す。
【０１１９】
図１７の左側に示す測定表示設定画面１７０１は、図１４の（Ｄ）に示した表示領域１４３２を含む画面である。そして、測定表示設定画面１７０１が示すように、ユーザーＵによって表示領域１４３２が押下された場合、ＣＰＵ４００は、図１７の右側に示す測定表示設定画面１７１１を示す。測定表示設定画面１７１１には、ペースにおける単位時間として設定可能な項目候補１７１２が含まれる。
【０１２０】
説明を図９に戻す。
ステップＳ９０５の処理終了後、ＣＰＵ４００は、処理をステップＳ９０２に戻す。
【０１２１】
また、操作された領域が、フェース切り替え領域１３１４である場合（ステップＳ９０３：フェース切り替え領域）、ＣＰＵ４００は、フェース切り替え処理を実行する（ステップＳ９０６）。フェース切り替え処理では、現在表示しているフェースを、押下されたボタンに対応するフェースに切り替え、切り替え後のフェースに対応する表示内容変更メニュー１３０３と表示領域１３１１〜１３１３とを表示する。フェースを切り替えた後の測定表示設定画面１３０１の具体例について、図１８に示す。
【０１２２】
図１８は、フェースを切り替えた際の表示領域の具体例を示す。図１８の左側に示す測定表示設定画面１８０１は、図１３に示した測定表示設定画面１３０１におけるフェース切り替え領域１３１４内の「Ｌａｐ」ボタンがユーザーＵによって押下された後の状態を示す。測定表示設定画面１８０１には、ラップ距離を示す表示領域１８０２が含まれる。そして、測定表示設定画面１８０１が示すように、ユーザーＵによって表示内容変更メニュー１３０３が押下され、項目候補の中から「２行表示」が選択された場合、ＣＰＵ４００は、図１８の右側に示す測定表示設定画面１８１１を示す。測定表示設定画面１８１１は、変更された項目に従った２行の表示領域１８１２、および１８１３を含む。
【０１２３】
説明を図９に戻す。
ステップＳ９０６の処理終了後、ＣＰＵ４００は、処理をステップＳ９０２に戻す。
【０１２４】
また、操作された領域がウェアラブル機器１０１への書き込みを示す領域１３１５である場合（ステップＳ９０３：ウェアラブル機器１０１への書き込み）、ＣＰＵ４００は、測定表示設定画面に対するユーザーＵによる変更操作に基づいて、表示設定変更情報５１３を生成する（ステップＳ９０７）。そして、ＣＰＵ４００は、生成した表示設定変更情報５１３を、無線通信部４０３によって接続されたウェアラブル機器１０１に送信する（ステップＳ９０８）。ステップＳ９０８の処理終了後、ＣＰＵ４００は、処理をステップＳ９０２に戻す。
【０１２５】
また、操作された領域が戻るボタン１３０２内である場合（ステップＳ９０３：戻るボタン）、ＣＰＵ４００は、活動量表示設定処理を終了する。活動量表示設定処理を終了することにより、ＣＰＵ４００は、測定表示設定処理の呼び出し元の処理に戻ることになる。呼び出し元の処理は、マイデバイス画面表示処理か、ワークアウト表示設定処理となる。このとき、ＣＰＵ４００は、前の画面、すなわちマイデバイス画面１００１かワークアウト表示設定画面１２０１をタッチパネル４０５に再表示する。
【０１２６】
また、操作された領域が、その他の領域である場合（ステップＳ９０３：その他）、ＣＰＵ４００は、操作された領域に対応する処理を実行する（ステップＳ９０９）。ここで、その他の領域とは、表示内容変更メニュー１３０３が描画された領域と、表示領域１３１１〜１３１３と、フェース切り替え領域１３１４と、ウェアラブル機器１０１への書き込みを示す領域１３１５と、前の画面に戻るボタン１１０２以外の領域である。ステップＳ９０９の処理終了後、ＣＰＵ４００は、処理をステップＳ９０２に戻す。
【０１２７】
また、時計画面表示設定処理について、ＣＰＵ４００は、時計設定画面を表示する。時計設定画面は、ウェアラブル機器１０１の時計画面を設定する画面である。時計設定画面には、ウェアラブル機器模擬画像内の各表示領域と、フェース切り替え領域と、ウェアラブル機器１０１への書き込みを示す領域と、前の画面に戻るボタンとが含まれる。各領域が操作された場合の処理については、測定表示設定処理内の各処理と同一であるため、説明を省略する。
【０１２８】
以上説明したように、情報処理端末１０２は、ウェアラブル機器１０１から取得した表示設定情報５１１をタッチパネル４０５に表示する、これにより、情報処理端末１０２は、ユーザーＵの変更が加わった表示画面が反映された表示設定画面を、タッチパネル４０５に表示させることが可能となる。従って、ユーザーＵは、ユーザーＵの変更が加わった表示画面を、タッチパネル４０５を閲覧することにより確認することができる。
また、情報処理端末１０２は、ユーザーＵの操作に基づいて生成した表示設定変更情報５１３をウェアラブル機器１０１に送信する。ここで、ウェアラブル機器１０１が多くの設定項目を有する場合に、ウェアラブル機器１０１のみを用いて目的の設定を行うには、操作ボタン１１１〜１１５に対する多くの操作または操作ボタン１１１〜１１５を組み合わせた複雑な操作をユーザーＵが行うことになる。従って、ユーザーＵの使い勝手が悪くなる。これに対し、情報処理端末１０２は、ウェアラブル機器１０１と比較して、自由度の高い操作が可能であったり、大画面を有していたりするため、表示設定情報５１１に基づく表示設定画面に対する変更を、単純な操作により行うことができる。
ここで、単純な操作として、例えば、項目を選択するために、ウェアラブル機器１０１では、上下左右ボタンを設けなければならない一方で、情報処理端末１０２は、タッチパネル４０５上のタッチという単純な操作により項目を選択することができる。
【０１２９】
また、表示画面が１つであるならば、表示設定情報５１１は、表示画面の内容および表示態様の少なくとも一方に関する情報であることが好ましい。また、表示画面が複数あるならば、表示設定情報５１１は、操作ボタン１１１〜１１５のユーザーＵによる操作に応じて切り替わる表示画面の順番、内容、および表示態様のうち少なくとも一つに関する情報であることが好ましい。これにより、情報処理端末１０２は、表示設定情報５１１に含まれる情報分、ウェアラブル機器１０１が提供するＵＩに近づいた表示設定画面を表示することができる。例えば、表示設定情報５１１が表示画面の順番を含む場合には、情報処理端末１０２は、ユーザーＵによる表示画面の順番の変更が反映された表示設定画面を、タッチパネル４０５に表示させることが可能となる。このように、ウェアラブル機器１０１が提供するＵＩに近づいた表示設定画面を表示することにより、ユーザーＵは、ウェアラブル機器１０１の使用シーンをイメージしながらウェアラブル機器１０１の設定を行うことができる。
【０１３０】
また、表示設定画面内には、操作ボタン１１１〜１１５のユーザーＵによる操作に応じて表示部１２１に表示される複数の表示画面を、ユーザーＵによる操作の順序と関連付けて配置されていることが好ましい。このように、情報処理端末１０２は、ユーザーＵによる操作の順序と関連付けた配置で複数の表示画面を表示する。従って、ユーザーＵは、複数の表示画面と、ユーザーによる操作の順序とを一画面内で確認することができ、ユーザーＵに分かり易く提示することが可能になる。
【０１３１】
また、情報処理端末１０２は、表示部１２１に表示される表示画面の順番、内容、および表示態様の少なくともいずれかに関する変更操作を受け付けると、表示設定変更情報５１３を生成することが好ましい。これにより、変更操作を受け付けると表示設定変更情報５１３を生成するため、情報処理端末１０２は、ウェアラブル機器１０１への書き込みを示す領域が押下された時に表示設定変更情報５１３を生成する場合と比較して、より早く表示設定変更情報５１３をウェアラブル機器１０１に送信することが可能になる。または、情報処理端末１０２は、ウェアラブル機器１０１への書き込みを示す領域が押下された時に表示設定変更情報５１３を生成してもよい。これにより、情報処理端末１０２は、変更操作を受け付けた時に表示設定変更情報５１３を生成する場合と比較して、表示設定変更情報５１３を生成する回数を減らすことができる。また、情報処理端末１０２は、二次電池４１０の充電量に応じて、変更操作を受け付けた時に表示設定変更情報５１３を生成するか、ウェアラブル機器１０１への書き込みを示す領域が押下された時に表示設定変更情報５１３を生成するかを切り替えてもよい。これにより、情報処理端末１０２は、充電量が充分である場合には、より早く表示設定変更情報５１３をウェアラブル機器１０１に送信することができ、充電量が少ない場合には、表示設定変更情報５１３を生成する回数を減らして省電力を図ることが可能になる。
【０１３２】
また、情報処理端末１０２は、ユーザーＵの状態を表す複数の項目について、更新された項目の識別データを表示設定変更情報５１３に含めてウェアラブル機器１０１に送信することが好ましい。これにより、ウェアラブル機器１０１は、複数の項目のうち、ユーザーＵが所望する項目を第１表示領域５２１に表示することが可能となる。例えば、ユーザーＵが、心拍数をウェアラブル機器１０１に表示したいと所望したと想定する。この場合、情報処理端末１０２が、心拍数を識別するデータを表示設定変更情報５１３に含めてウェアラブル機器１０１に送信することにより、ウェアラブル機器１０１は、心拍数を第１表示領域５２１に表示することが可能になる。
【０１３３】
また、項目候補１６０２には、ユーザーＵの活動に関する項目またはユーザーＵの活動を解析して得られた指標に関する項目の少なくとも一方が含まれることが好ましい。例えば、ユーザーＵが、ユーザーＵの活動を解析して得られた指標に関する項目として、歩数を表示したいと所望したと想定する。この場合、情報処理端末１０２が、歩数を識別するデータを表示設定変更情報５１３に含めてウェアラブル機器１０１に送信することにより、ウェアラブル機器１０１は、歩数を第１表示領域５２１に表示することが可能になる。
【０１３４】
また、項目候補１６０２には、時刻が含まれることが好ましい。ここで、図１に説明したように、ウェアラブル機器１０１は、腕時計と同様な外観を有する。そして、ユーザーＵが、腕時計の機能として、ウェアラブル機器１０１に時刻を表示したいと想定する。この場合、情報処理端末１０２が、時刻を識別するデータを表示設定変更情報５１３に含めてウェアラブル機器１０１に送信することにより、ウェアラブル機器１０１は、時刻を第１表示領域５２１に表示することが可能になる。
【０１３５】
また、項目候補１６０２には、ラップが含まれることが好ましい。例えば、ユーザーＵが、ラップとして、ある区間における走行時間をウェアラブル機器１０１に表示したいと想定する。この場合、情報処理端末１０２が、ラップを識別するデータを表示設定変更情報５１３に含めてウェアラブル機器１０１に送信することにより、ウェアラブル機器１０１は、ラップとして、ある区間における走行時間を第１表示領域５２１に表示することが可能になる。
【０１３６】
また、情報処理端末１０２は、ウェアラブル機器１０１を模した模擬画像に表示設定情報５１１に含まれる内容を示す画像を重ねた画像を表示画面として、タッチパネル４０５に表示させることが好ましい。これにより、模擬画像を用いた画像を表示するため、模擬画像を用いた分、表示設定情報５１１を変更した際のウェアラブル機器１０１の状態により近い画像を表示することになる。従って、ユーザーＵは、タッチパネル４０５に表示された画像を閲覧することにより、ユーザーＵは、表示設定情報５１１を変更した際のウェアラブル機器１０１の状態を、より想像し易くことが可能になる。また、ユーザーＵが、複数のウェアラブル機器１０１を所持することも考えられる。この場合、複数のウェアラブル機器１０１のそれぞれのウェアラブル機器１０１の外観が異なれば、それぞれのウェアラブル機器１０１の模擬画像も互いに異なる画像となる。従って、ユーザーＵは、模擬画像を用いた画像を閲覧することにより、現在どのウェアラブル機器１０１の設定を行っているか容易に把握することが可能になる。
【０１３７】
また、情報処理端末１０２は、模擬画像の表示態様を表示設定情報５１１に含まれる表示態様を用いて設定することが好ましい。これにより、設定後の模擬画像を用いた分、表示設定情報５１１を変更した際のウェアラブル機器１０１の状態により近い画像を表示することになる。従って、ユーザーＵは、タッチパネル４０５に表示された画像を閲覧することにより、表示様態を模した画像を表示しない場合に比べて、表示設定情報５１１を変更した際のウェアラブル機器１０１の状態をより想像し易くことが可能になる。より具体的には、ユーザーＵが、ウェアラブル機器の表示画面の表示態様として、ある背景色を設定していると想定する。この場合、情報処理端末１０２は、ある背景色を含む模擬画像に、表示設定情報５１１に含まれる内容を示す画像を重ねた画像を表示することになる。そして、ある背景色と、表示設定情報５１１に含まれる内容を示す文字の色とが近い色である場合、ユーザーＵは、タッチパネル４０５に表示された画像を閲覧して、変更後の設定が見づらい配色となっていることに気づくことが可能になる。
【０１３８】
Ｂ．変形例
以下に、本実施形態の変形例として、図１３に示した測定表示設定画面１３０１の変形例を、図２０と図２１とを用いて説明する。
【０１３９】
図２０は、測定表示設定画面の第１の変形例を示す図である。図２０に示す測定表示設定画面２００１は、測定表示設定画面１３０１と比較して、第１の変形例として、フェース切り替え領域１３１４内の各フェースを示すボタンが、ウェアラブル機器１０１のＹ方向に沿って並べられた状態である。このように、各フェースを示すボタンをウェアラブル機器１０１のＹ方向に沿って並べることにより、第１操作ボタン１１１や第３操作ボタン１１３といった、Ｙ方向に並んだボタンで各フェースを切り替えることから、ウェアラブル機器１０１のＵＩに近づけることができる。また、測定表示設定画面２００１内のフェース「４」を示すボタンには、横線による網掛けが付与してあり、横線による網掛けは、ウェアラブル機器１０１が対応していないフェースであることを示す。
【０１４０】
図２１は、測定表示設定画面の第２の変形例を示す図である。図２０に示す測定表示設定画面２００１は、測定表示設定画面１３０１と比較して、第２の変形例として、第１操作ボタン１１１を模擬するボタン２１０２と、第３操作ボタン１１３を模擬するボタン２１０３とを含む。ボタン２１０２、２１０３のいずれか一方が押下された場合、ＣＰＵ４００は、押下されたボタンに対応するフェースに切り替え、切り替え後のフェースに対応する表示内容変更メニュー１３０３と表示領域１３１１〜１３１３を表示する。
【０１４１】
また、他の変形例として、例えば、ステップＳ７０４〜Ｓ７０６のいずれかの処理において、表示画面の切り替え、追加、削除を行った場合には、ＣＰＵ４００は、いずれかの処理後における表示画面の順番を示す情報を、ウェアラブル機器１０１に送信してもよい。そして、ウェアラブル機器１０１は、受信した情報に基づいて、表示画面を、いずれかの処理後における表示画面の順番通りに表示してもよい。また、ステップＳ９０４〜Ｓ９０６のいずれかの処理において、一つの表示画面内の情報を変更した場合には、ＣＰＵ４００は、前述の一つの表示画面における変更された情報を示す情報を、ウェアラブル機器１０１に送信してもよい。そして、ウェアラブル機器１０１は、数秒間の間、一つの表示画面を、変更後の状態で表示してもよい。
【０１４２】
また、ウェアラブル機器１０１が装着できる箇所は、手首に限らない。例えば、ウェアラブル機器１０１は、足首等、ユーザーＵの他の部位に装着されてもよい。また、ウェアラブル機器１０１は、ＨＭＤ（Head  Mounted  Display）等であってもよい。また、本発明における表示設定方法における設定対象は、ウェアラブル機器１０１に限られない。例えば、前述の設定対象は、表示部を有する電子機器でもよい。電子機器は、例えば、カーナビゲーション装置、電卓、ゲーム機、ビデオカメラ等でもよい。また、図１では、情報処理端末１０２は、スマートフォン、タブレット端末等であると説明したが、これに限らない。例えば、情報処理端末１０２は、ＰＣ（Personal Computer）でもよい。また、情報処理端末１０２のユーザーＵと、ウェアラブル機器１０１のユーザーＵとは、同一でもよいし、異なってもよい。情報処理端末１０２のユーザーＵとウェアラブル機器１０１のユーザーＵとが異なる例としては、ウェアラブル機器１０１の購入者が、ウェアラブル機器１０１の開発元のサポート員に、ウェアラブル機器１０１の表示画面の設定を頼む場合である。この場合、情報処理端末１０２のユーザーＵは、ウェアラブル機器１０１の開発元のサポート員となる。
【０１４３】
また、図３では示していないが、ウェアラブル機器１０１は、操作部として操作ボタン１１１〜１１５の代わりにタッチセンサーを有してもよいし、操作ボタン１１１〜１１５とタッチセンサーとの両方を有してもよい。ここで、タッチセンサーは、ユーザーＵのタッチ操作を検出するセンサーである。タッチセンサーは、例えば、抵抗膜方式、表面弾性波方式、静電容量方式等を採用することができる。また、ウェアラブル機器１０１は、加速度センサー３０７、脈拍センサー３０９以外のセンサーとして、方位センサー（地磁気センサー）、気圧センサー、温度センサー、ジャイロセンサーを有してもよい。そして、情報処理端末１０２は、表示設定画面内に、ウェアラブル機器１０１の操作部の操作回数と関連付けた複数の表示画面を配置してもよい。例えば、ウェアラブル機器１０１がタッチセンサーを含む場合、情報処理端末１０２は、タッチセンサーの操作回数と関連付けた配置で複数の表示画面を表示する。これにより、ユーザーＵは、複数の表示画面と、ユーザーＵによるタッチセンサーの操作回数とを一画面内で確認することができ、ユーザーＵに分かり易く提示することが可能になる。また、情報処理端末１０２は、複数の操作部がある場合に、表示設定画面内に、どの操作部によって複数の表示画面が切り換わるかを示してもよい。例えば、ウェアラブル機器１０１がタッチセンサーを有する場合、情報処理端末１０２は、表示設定画面内に、タッチセンサーで複数の表示画面が切り換わることを示す文言に基づく画像を表示してもよい。これにより、ユーザーＵは、ウェアラブル機器１０１の使用シーンにおいてタッチセンサーで複数の表示画面が切り換わることが把握できるため、ウェアラブル機器１０１の使用シーンをイメージしながらウェアラブル機器１０１の設定を行うことができる。
【０１４４】
また、ウェアラブル機器１０１が有する操作ボタンの数は、上述した実施形態における５つに限られず、５つより少なくてもよいし、５つより多くてもよい。また、ウェアラブル機器１０１が有する操作ボタンの配置は、上述した実施形態における位置に限られない。また、操作ボタン１１１〜１１５と連携する機能は、上述した実施形態における例に限られない。例えば、第１操作ボタン１１１が押下された場合、ウェアラブル機器１０１は、活動量表示画面を表示したが、ワークアウト表示画面を表示してもよい。
【０１４５】
また、図２について、活動量表示画面１３３を表示する状態において、第１操作ボタン１１１が押下されると、ウェアラブル機器１０１が、時計画面２００を表示する状態に戻るという画面遷移を説明したが、この画面遷移がなくてもよい。例えば、ウェアラブル機器１０１は、第１操作ボタン１１１が押下されても、時計画面２００を表示する状態に戻らずに、活動量表示画面１３３を表示する状態のままでもよい。この場合、例えば、第３操作ボタン１１３が押下されると、ウェアラブル機器１０１は、活動量表示画面１３２を表示するという画面遷移を行ってもよい。
同様に、図１１について、表示部１２１が時計画面を表示する際に、ユーザーＵによって第１操作ボタン１１１が押下されると、「Summary2」の活動量表示画面を表示部１２１に表示するという画面遷移を示したが、この画面遷移がなくてもよい。この画面遷移がない場合、活動量表示設定画面１１０１には、活動量表示設定画面１１０１内の上部から、各活動量表示模擬画面１１１２〜１１１４、時計模擬画面１１１１の順番に並べられることになる。
同様に、図１２について、表示部１２１が「トライアスロン」を表示する画面を表示する際に、ユーザーＵによって第３操作ボタン１１３が押下されると、時計画面を表示部１２１に表示するという画面遷移を示したが、この画面遷移がなくてもよい。この画面遷移がない場合、ワークアウト表示設定画面１２０１には、ワークアウト表示設定画面１２０１内の上部から、時計模擬画面１１１１、各ワークアウト表示模擬画面１２０２〜１２０４の順番に並べられることになる。
上述した３つの図に関する変形例には、操作ボタン１１１〜１１５のいずれか一つのボタンを繰り返し押下した際に、同一の表示画面を繰り返なさいという共通点がある。この変形例により、現在の表示画面が、時計画面といったデフォルト画面からどの程度離れているか、換言すれば、時計画面、活動量表示画面、および、ワークアウト表示画面から形成される表示画面の階層のうち、現在の表示画面がどのあたりに位置するかをユーザーＵが把握し易くすることが可能である。
【０１４６】
上記の各実施形態では、ウェアラブル機器１０１は、ＧＰＳ衛星からの衛星信号を用いて各種の処理を行っているが、ＧＰＳ以外の全地球航法衛星システム（ＧＮＳＳ：Global Navigation Satellite System）の測位用衛星やＧＮＳＳ以外の測位用衛星からの衛星信号を用いてもよい。例えば、ＷＡＡＳ（Wide Area Augmentation System）、ＥＧＮＯＳ(European Geostationary-Satellite Navigation Overlay Service)、ＱＺＳＳ（Quasi Zenith Satellite System）、ＧＬＯＮＡＳＳ（GLObal NAvigation Satellite System）、ＧＡＬＩＬＥＯ、ＢｅｉＤｏｕ（BeiDou Navigation Satellite System）等の衛星測位システムのうち１つ、あるいは２つ以上のシステムの衛星からの衛星信号を利用してもよい。
【０１４７】
本発明は、上記の情報処理端末１０２を、上記に記載の情報処理端末１０２の各部として機能させるように構成されたコンピュータプログラムまたは当該コンピュータプログラムを記録したコンピュータ読み取り可能な記録媒体として捉えることもできるし、上記の表示システムにおける一以上のコンピュータを、上記に記載の表示システムの各部として機能させるように構成されたコンピュータプログラムまたは当該コンピュータプログラムを記録したコンピュータ読み取り可能な記録媒体として捉えることもできる。記録媒体は例えば非一過性（non-transitory）の記録媒体であり、ＣＤ−ＲＯＭ等の光学式記録媒体の他、半導体記録媒体や磁気記録媒体等の公知の任意の記録媒体を含み得る。また、本発明は上述した各態様にかかる表示設定方法としても特定される。
【符号の説明】
【０１４８】
Ｕ…ユーザー、１００…システム、１０１…ウェアラブル機器、１０２…情報処理端末、１１１〜１１５…操作ボタン、１２１…表示部、４０５…タッチパネル、５００…制御部、５０１…取得部、５０２…表示制御部、５０３…生成部、５０４…送信部、５１１…表示設定情報、５１２…項目候補情報、５１３…表示設定変更情報、５２１…第１表示領域、５２２…第２表示領域、５３１…第１識別データ、５３２…第２識別データ
【図１】
2019016251.tif 000003
【図２】
2019016251.tif 000004
【図３】
2019016251.tif 000005
【図４】
2019016251.tif 000006
【図５】
2019016251.tif 000007
【図６】
2019016251.tif 000008
【図７】
2019016251.tif 000009
【図８】
2019016251.tif 000010
【図９】
2019016251.tif 000011
【図１０】
2019016251.tif 000012
【図１１】
2019016251.tif 000013
【図１２】
2019016251.tif 000014
【図１３】
2019016251.tif 000015
【図１４】
2019016251.tif 000016
【図１５】
2019016251.tif 000017
【図１６】
2019016251.tif 000018
【図１７】
2019016251.tif 000019
【図１８】
2019016251.tif 000020
【図１９】
2019016251.tif 000021
【図２０】
2019016251.tif 000022
【図２１】
2019016251.tif 000023